(57)【特許請求の範囲】
【請求項１】
サービスセンターに適した伝送サービスの連続性を保持する方法であって、該方法は、
消費レポートをユーザー装置から定期的に又は不定期に受信し、前記サービスセンターのユーザーデータベースに前記消費レポートを記憶するステップであって、前記ユーザー装置は第１のベアラにより第１の伝送サービスを受信するステップと、
特定の要求を受信することに応答して、前記特定の要求から、前記ユーザー装置のユーザー同定情報を得るステップであって、前記特定の要求は、前記ユーザー装置が第１の基地局から第２の基地局へ引き渡されたことを示し、前記第２の基地局の受信地域は、第２の伝送サービスをサポートするだけであるステップと、
前記ユーザー同定情報に基づいて、前記ユーザーデータベースから前記ユーザー装置に対応する前記消費レポートをサーチし、得て、前記消費レポートから前記第１の伝送サービスの第１のサービス情報を得るステップと、
第２のベアラを用いるようにスイッチして、前記第１のサービス情報により前記第２の伝送サービスを受信するように、前記ユーザー装置を制御するステップと、を有し、
前記第１のベアラは、ユニキャストベアラ及びブロードキャストベアラの内の１つであり、前記第２のベアラは、ユニキャストベアラ及びブロードキャストベアラの内のもう１つであり、
前記消費レポートは、前記第１の伝送サービスのサービス同定情報、消費タイプ、前記ユーザー装置の前記ユーザー同定情報、レポート時間及びレポート場所を含む、方法。
【請求項２】
前記第１のベアラは前記ブロードキャストベアラであり、前記第１の伝送サービスはブロードキャストサービスであり、前記ユーザー装置は、前記ブロードキャストサービスを前記ブロードキャストベアラにより前記第１の基地局から受信する、請求項１に記載の方法。
【請求項３】
前記特定の要求は、ブロードキャスト／マルチキャストサービス・ゲートウェイによって、移動性管理エンティティにより前記サービスセンターへ転送され、前記ユーザー装置が前記第１の基地局から前記第２の基地局へ引き渡すためのハンドオーバ動作を完了した後に、前記移動性管理エンティティは、対応して、前記特定の要求を生成する、請求項２に記載の方法。
【請求項４】
前記第２のベアラは前記ユニキャストベアラであり、前記第２の伝送サービスはユニキャストサービスであり、前記方法は、さらに、
前記ユニキャストサービスを前記ユニキャストベアラにより前記ユーザー装置へ提供するように、前記第１のサービス情報によりユーザー次元ゲートウェイによって、前記第２の基地局を制御するステップを有する、請求項２に記載の方法。
【請求項５】
前記第１のベアラは前記ユニキャストベアラであり、前記第１の伝送サービスはユニキャストサービスであり、前記ユーザー装置は、前記ユニキャストサービスを前記ユニキャストベアラにより前記第１の基地局から受信する、請求項１に記載の方法。
【請求項６】
前記特定の要求は、ブロードキャスト／マルチキャストサービス・ゲートウェイによって、移動性管理エンティティにより前記サービスセンターへ転送され、前記ユーザー装置が前記第１の基地局から前記第２の基地局へ引き渡すためのハンドオーバ動作を完了した後に、前記移動性管理エンティティは、対応して、前記特定の要求を生成する、請求項５に記載の方法。
【請求項７】
前記第２のベアラは前記ブロードキャストベアラであり、前記第２の伝送サービスはブロードキャストサービスである、請求項５に記載の方法。
【請求項８】
前記ユニキャストサービスは、前記第１の基地局によって、ユーザー次元ゲートウェイにより提供され、前記第２のベアラを用いるようにスイッチして、前記第１のサービス情報により前記第２の伝送サービスを受信するように、前記ユーザー装置を制御した後に、前記方法は、さらに、
前記第１の基地局及び前記第２の基地局により、前記ユニキャストサービスを提供することを中止するように、前記ユーザー次元ゲートウェイを制御するステップを有する、請求項５に記載の方法。
【請求項９】
前記第１のベアラが前記ユニキャストベアラであることに応じて、前記消費レポートの前記消費タイプは、前記第１の伝送サービスがユニキャストサービスであることを示し、
前記第１のベアラが前記ブロードキャストベアラであることに応じて、前記消費レポートの前記消費タイプは、前記第１の伝送サービスがブロードキャストサービスであること
を示す、請求項１に記載の方法。
【請求項１０】
サービスセンターであって、該サービスセンターは、
コンテンツプロバイダーからの伝送サービスコンテンツを記憶するコンテンツ記憶装置と、
ユーザー装置から定期的に又は不定期に消費レポートを受信する送受信機であって、前記ユーザー装置は第１のベアラにより第１の伝送サービスを受信する、送受信機と、
ユーザーデータベースと、
前記送受信機、前記コンテンツ記憶装置及び前記ユーザーデータベースに連結しているプロセッサと、を備え、
前記プロセッサは、
前記ユーザーデータベースに受信された前記消費レポートを記憶する、ステップと、
前記送受信機が特定の要求を受信することに応答して、前記特定の要求から、前記ユーザー装置のユーザー同定情報を得るステップであって、前記特定の要求は、前記ユーザー装置が第１の基地局から第２の基地局へ引き渡されたことを示し、前記第２の基地局の受信地域は、第２の伝送サービスをサポートするだけである、ステップと、
前記ユーザー同定情報に基づいて、前記ユーザーデータベースから前記ユーザー装置に対応する前記消費レポートをサーチし、得て、前記消費レポートから前記第１の伝送サービスの第１のサービス情報を得るステップであって、前記ユーザー同定情報は前記ユーザーデータベースに記憶される、ステップと、
第２のベアラを用いるようにスイッチして、前記第１のサービス情報により前記第２の伝送サービスを受信するように、前記ユーザー装置を制御するステップと、を実行するように構成され、
前記第１のベアラは、ユニキャストベアラ及びブロードキャストベアラの内の１つであり、前記第２のベアラは、ユニキャストベアラ及びブロードキャストベアラの内のもう１つであり、
前記消費レポートは、前記第１の伝送サービスのサービス同定情報、消費タイプ、前記ユーザー装置の前記ユーザー同定情報、レポート時間及びレポート場所を含む、サービスセンター。
【請求項１１】
前記第１のベアラは前記ブロードキャストベアラであり、前記第１の伝送サービスはブロードキャストサービスであり、前記ユーザー装置は、前記ブロードキャストサービスを前記ブロードキャストベアラにより前記第１の基地局から受信する、請求項１０に記載のサービスセンター。
【請求項１２】
前記特定の要求は、ブロードキャスト／マルチキャストサービス・ゲートウェイによって、移動性管理エンティティにより前記サービスセンターへ転送され、前記ユーザー装置が前記第１の基地局から前記第２の基地局へ引き渡すためのハンドオーバ動作を完了した後に、前記移動性管理エンティティは、対応して、前記特定の要求を生成する、請求項１１に記載のサービスセンター。
【請求項１３】
前記第２のベアラは前記ユニキャストベアラであり、前記第２の伝送サービスはユニキャストサービスであり、前記プロセッサは、さらに、
前記ユニキャストサービスを前記ユニキャストベアラにより前記ユーザー装置へ提供するように、前記第１のサービス情報によりユーザー次元ゲートウェイによって、前記第２の基地局を制御するステップを実行するように構成される、請求項１１に記載のサービスセンター。
【請求項１４】
前記第１のベアラは前記ユニキャストベアラであり、前記第１の伝送サービスはユニキャストサービスであり、前記ユーザー装置は、前記ユニキャストサービスを前記ユニキャストベアラにより前記第１の基地局から受信する、請求項１０に記載のサービスセンター。
【請求項１５】
前記特定の要求は、ブロードキャスト／マルチキャストサービス・ゲートウェイによって、移動性管理エンティティにより前記サービスセンターへ転送され、前記ユーザー装置が前記第１の基地局から前記第２の基地局へ引き渡すためのハンドオーバ動作を完了した後に、前記移動性管理エンティティは、対応して、前記特定の要求を生成する、請求項１４に記載のサービスセンター。
【請求項１６】
前記第２のベアラは前記ブロードキャストベアラであり、前記第２の伝送サービスはブロードキャストサービスである、請求項１４に記載のサービスセンター。
【請求項１７】
前記ユニキャストサービスは、前記第１の基地局によって、ユーザー次元ゲートウェイにより提供され、前記プロセッサは、さらに、
前記第１の基地局により、前記ユニキャストサービスを提供することを中止するように、前記ユーザー次元ゲートウェイを制御するステップを実行するように構成される、請求項１４に記載のサービスセンター。
【請求項１８】
前記第１のベアラが前記ユニキャストベアラであることに応じて、前記消費レポートの前記消費タイプは、前記第１の伝送サービスがユニキャストサービスであることを示し、
前記第１のベアラが前記ブロードキャストベアラであることに応じて、前記消費レポートの前記消費タイプは、前記第１の伝送サービスがブロードキャストサービスであることを示す、請求項１０に記載のサービスセンター。
【発明の詳細な説明】
【技術分野】
【０００１】
本発明は、伝送サービスを提供する方法に関し、より詳細には、伝送サービスの連続性を保持する方法及びサービスセンターに関する。
【背景技術】
【０００２】
向上した無線ネットワーク信号受信地域及び伝送速度と共に、大量の帯域幅要件を占めるマルチメディアの音声・動画コンテンツを有する様々なアプリケーションサービスが生成される。現在、ユーザー装置（UEs）のほとんどは、ユニキャストモードとも呼ばれるポイントツーポイント（PTP）方法で、マルチメディアの音声・動画コンテンツをダウンロードする。ユニキャストモードにおいて、各伝送は、１つの特定のユーザー装置へ提供されるだけである。この場合において、各々のユーザー装置により必要とされる伝送データは、有線資源及び無線ネットワーク資源を占めるであろう。オンラインコミュニティの出現したアプリケーションにおいて、ユーザーは、ライブの音声・動画コンテンツを見ることができ、関連する伝送サービスを提供するために、ユニキャストモードを用いる場合、同じ音声・動画コンテンツは、全てのユーザー装置へ同時に伝送されるであろう。一旦、ユーザー装置の数がネットワークの容量（例えば、１つの基地局（BS）の最大のネットワーク帯域幅）を超えると、データ伝送ふくそうは、ビデオの中断、画像品質の劣化、切断、及び、サービスクラッシュを含む悪い結果に導くであろう。
【０００３】
ユニキャストモードに加えて、現在、ブロードキャストモードとも呼ぶことができる、ポイントツーマルチポイント（PTM）方法での伝送モードがある。ブロードキャストモードにおいて、コンテンツの各伝送は、全てのユーザー装置により受信することができ、コンテンツを受信することができるユーザー装置の数は、基本的に、無制限である。ライブビデオ、ライブスポーツイベント、公共TVライブ放送、及び、カーネットワーキングアプリケーションにおける道路情報、交通状況、案内図の更新などの同時に伝送する必要があるアプリケーションに対して、ブロードキャストモードは、優れた無線資源使用効率を有することができる。
【０００４】
ブロードキャストモードの伝送範囲は、通常、一定値に設定される。このように、ブロードキャストモードは、より良い周波数スペクトル使用効率、及び、頻繁に変えられないが、もっとユーザーのニーズがある場所のみで変えられる受信地域を達成することができる。しかしながら、ユーザーのニーズがより少ない場所では、伝送サービスは、通常、ブロードキャストモードにおいて提供されず、伝送サービスのほとんどは、ユニキャストモードにおいて提供することができるだけである。
【０００５】
通常のユーザー装置（携帯電話など）のほとんどは、一般的にある程度の移動性を有するため、ユーザー装置が、ブロードキャストサービスの範囲から去って、ユニキャストサービスの範囲に入るときに、サービスプロバイダーが、それに応じて伝送サービスを提供する方法を調整しない場合、ユーザー装置は伝送サービスを連続的に受信することができない可能性がある。同様に、ユーザー装置が、ユニキャストサービスの範囲から去って、ブロードキャストサービスの範囲に入るときに、サービスプロバイダーが、それに応じて伝送サービスを提供する方法を調整しない場合、新たに追加した（ビデオの）ユニキャストサービスは、基地局の不十分な帯域幅をもたらし得る。
【０００６】
したがって、上記のシナリオにおいて、伝送サービスの連続性を保持することができる機構を設計することは、当業者にとって重要な問題である。
【発明の概要】
【発明が解決しようとする課題】
【０００７】
したがって、本発明は、上記の技術的を解決するために用いることができる伝送サービスの連続性を保持する方法及びサービスセンターを提案する。
【課題を解決するための手段】
【０００８】
本発明は、サービスセンターに適した伝送サービスの連続性を保持する方法を提供し、該方法は、消費レポートをユーザー装置から受信するステップであって、前記ユーザー装置は第１のベアラにより第１の伝送サービスを受信するステップと、特定の要求を受信することに応答して、前記特定の要求から、前記ユーザー装置のユーザー同定情報を得るステップであって、前記特定の要求は、前記ユーザー装置が第１の基地局から第２の基地局へ引き渡されたことを示し、前記第２の基地局の受信地域は、第２の伝送サービスをサポートするだけであるステップと、前記ユーザー同定情報に基づいて、前記ユーザー装置に対応する前記消費レポートにアクセスし、前記消費レポートから前記第１の伝送サービスの第１のサービス情報を得るステップと、第２のベアラを用いるようにスイッチして、前記第１のサービス情報により前記第２の送サービスを受信するように、前記ユーザー装置を制御するステップと、を含み、前記第１のベアラは、ユニキャストベアラ及びブロードキャストベアラの内の１つであり、前記第２のベアラは、ユニキャストベアラ及びブロードキャストベアラの内のもう１つである。
【０００９】
本発明は、コンテンツ記憶装置、送受信機、ユーザーデータベース及びプロセッサを含むサービスセンターを提供する。前記コンテンツ記憶装置はコンテンツプロバイダーからの伝送サービスコンテンツを記憶する。前記送受信機はユーザー装置から消費レポートを受信し、前記ユーザー装置は第１のベアラにより第１の伝送サービスを受信する。前記プロセッサは、前記送受信機、前記コンテンツ記憶装置及び前記ユーザーデータベースに連結しており、前記プロセッサは、前記送受信機が特定の要求を受信することに応答して、前記特定の要求から、前記ユーザー装置のユーザー同定情報を得るステップであって、前記特定の要求は、前記ユーザー装置が第１の基地局から第２の基地局へ引き渡されたことを示し、前記第２の基地局の受信地域は、第２の伝送サービスをサポートするだけである、ステップと、前記ユーザー同定情報に基づいて、前記ユーザー装置に対応する前記消費レポートにアクセスし、前記消費レポートから前記第１の伝送サービスの第１のサービス情報を得るステップと、第２のベアラを用いるようにスイッチして、前記第１のサービス情報により前記第２の伝送サービスを受信するように、前記ユーザー装置を制御するステップと、を実行するように構成され、前記第１のベアラは、ユニキャストベアラ及びブロードキャストベアラの内の１つであり、前記第２のベアラは、ユニキャストベアラ及びブロードキャストベアラの内のもう１つである。
【発明の効果】
【００１０】
上記に基づいて、前記ユーザー装置が、第１の伝送サービスの伝送範囲から第２の伝送サービスをサポートするだけの伝送範囲へ動くとき、本発明により提案される方法及びサービスセンターは、伝送サービスを受信するために、ユーザー装置により用いるベアラを対応して調整することができ、したがって、ユーザー装置は、ハンドオーバ後に、伝送サービスを連続的に受信することができる。
【００１１】
前述を、より分かりやすくするために、いくつかの実施形態を添付図面とともに以下で詳細に説明する。
【図面の簡単な説明】
【００１２】
本開示のさらなる理解を提供するために添付図面が本明細書に組み込まれ、本明細書の一部を成している。図面は本開示の実施形態を示し、その説明とあいまって本開示の原理を説明するのに役立つものである。
【００１３】
【図１】本発明の一実施形態によるシステムを提供する伝送サービスを例示する概略図である。
【図２】本発明の一実施形態による伝送サービスの連続性を保持する方法を例示するフローチャートである。
【図３Ａ】本発明の第１の実施形態により、ブロードキャストサービス範囲からユニキャストサービス範囲へ移動するユーザー装置を例示する模式図である。
【図３Ｂ】図３Ａにより例示された信号伝送タイミング図である。
【図４Ａ】本発明の第２の実施形態により、ユニキャストサービス範囲からブロードキャストサービス範囲へ移動するユーザー装置を例示する模式図である。
【図４Ｂ】図４Ａにより例示された信号伝送タイミング図である。
【図５】本発明の一実施形態によるサービスセンターを例示する機能ブロック図である。
【発明を実施するための形態】
【００１４】
以下の詳細な説明において、説明の目的のために、開示した実施形態の完全な理解を提供するために、多くの特定の詳細を説明する。しかしながら、１つ以上の実施形態は、これらの特定の詳細なしで、実行することができることは明らかである。他の実施例において、周知の構造及び機器は、図面を単純化するために、概略的に示される。
【００１５】
図１を参照するに、図１は、本発明の一実施形態によるシステムを提供する伝送サービスを例示する概略図である。図１に示すように、システム１００は、ユーザー装置１１０、第１の基地局１２０、マルチセル／マルチキャスト・コーオーディネーション・エンティティ（MCE）１３０、マルチメディア・ブロードキャスト／マルチキャストサービス・ゲートウェイ（MBMS-GW）１４０、サービスセンター１５０、サービングゲートウェイ（S-GW）１６０、パケットデータネットワーク・ゲートウェイ（P-GW）１７０、移動性管理エンティティ（MME）１８０、及び、コンテンツプロバイダー１９０を含む。一実施形態において、サービスセンター１５０は、例えば、ブロードキャスト／マルチキャストサービスセンター（BM-SC）である。
【００１６】
本発明の一実施形態において、図１の機器／エンティティ／ゲートウェイの各々は、図示の方法で互いに接続することができ、図示のように様々なインターフェース（例えば、M1,M2,M3,S1-MME,S1-U,Sm,S5,S11,SGmb,SGi-mb,xMB及びSGiインターフェース）により互いに通信することができる。さらに、図１の機器／エンティティ／ゲートウェイの各々の基本動作モード及び説明は、関連の仕様書（例えば、ロング・ターム・エボリューション（LTE）リリース１１及び１２など）を参照することができる。
【００１７】
図１の実施形態において、サービス（例えば、様々な音声・動画コンテンツ）を提供するために、コンテンツプロバイダー１９０を用いることができる。サービスは、サービスセンター１５０により伝送することができ、ユニキャストサービス又はブロードキャストサービスの形態で、ユーザー装置１１０へ提供することができる。例えば、ユーザー装置１１０が、コンテンツプロバイダー１９０からサービスの関連データストリームを受信後に、ブロードキャストサービスを受信するために用いるように構成される場合、サービスセンター１５０は、ブロードキャストベアラにより対応するブロードキャストサービスを伝送するように、MBMS-GW１４０に要求することができる。本発明の一実施形態において、ブロードキャストベアラは、それに限定されないが、例えば、MBMSベアラにすることができる。それに応じて、サービスセンター１５０は、ブロードキャストベアラにより第１の基地局１２０からMBMS-GW１４０により提供されるブロードキャストサービスを受信するように、ユーザー装置１１０に要求することができる。本例において、サービスセンター１５０はブロードキャストサービスを提供するため、多数のユーザー装置は、同じブロードキャストベアラによりブロードキャストサービスを同時に受信することができる。
【００１８】
他方、ユーザー装置１１０が、コンテンツプロバイダー１９０からサービスの関連データストリームを受信後に、ユニキャストサービスを受信するために用いるように構成される場合、サービスセンター１５０は、P-GW１７０及びS-GW１６０によりユーザー装置１１０に役立つデータストリームを第１の基地局１２０へ伝送することができ、特定のユニキャストベアラによりユーザー装置１１０へユニキャストサービスを提供するために、第１の基地局１２０に要求するようにする。それに応じて、サービスセンター１５０は、ユニキャストベアラによりユニキャストサービスを受信するように、ユーザー装置１１０に要求することができる。本例において、サービスセンター１５０はユニキャストサービスを提供するため、ユニキャストベアラはユーザー装置１１０専用である。
【００１９】
異なる実施形態において、ユーザー装置１１０により受信される伝送サービスがブロードキャストサービスかユニキャストサービスかどうかにかかわらず、ユーザー装置１１０は、消費レポートを定期的に又は不定期にサービスセンター１５０へレポートすることができる。消費レポートは、例えば、上記で説明した伝送サービスの関連サービス情報を含むことができる。
【００２０】
LTEリリース１２により、消費レポートに記録されるサービス情報は、サービス同定情報、消費タイプ、ユーザー装置１１０のユーザー同定情報、レポート時間及びレポート場所を含むことができる。サービス同定情報は、例えば、どのサービス（例えば、ライブビデオ、スポーツイベントのライブ放送、公共TVライブ放送など）が対応する伝送サービスであるかを特別に示すことができる。
【００２１】
消費レポートの消費タイプは、例えば、多くの事前に定義したタイプのうちの１つを示すことができる。例えば、ユーザー装置１１０により受信される伝送サービスがブロードキャストサービスである場合、対応する消費タイプは「MBMSベアラの上のMBMSユーザーサービスの消費」を示すことができる。別の例として、ユーザー装置１１０により受信される伝送サービスがユニキャストサービスである場合、対応する消費タイプは「ユニキャストの上のMBMSユーザーサービスの消費」を示すことができる。手短に、ユーザー装置１１０により受信される伝送サービスがブロードキャストサービスであるか、又は、ユニキャストサービスであるかは、消費タイプから知ることができる。
【００２２】
しかしながら、前に述べたように、ユーザー装置１１０が、ブロードキャストサービスの伝送範囲からユニキャストサービスをサポートするだけの伝送範囲へ動く場合、又は、ユニキャストサービスの伝送範囲からブロードキャストサービスをサポートする伝送範囲へ動く場合に、伝送サービスを提供する方法が調整されない場合、伝送サービスの連続性を保持することはできず、ユーザー装置１１０のユーザーは、信号断絶による質の低下の経験を感じ得る。
【００２３】
したがって、本発明は、上記の技術的課題を解決するために用いることができる伝送サービスの連続性を保持する方法を提案し、関連する詳細を以下に説明する。
【００２４】
図２を参照するに、図２は、本発明の一実施形態による伝送サービスの連続性を保持する方法を例示するフローチャートである。本実施形態の方法は、図１のサービスセンター１５０により実施することができ、図２の各ステップは図１の内容を参照して説明する。
【００２５】
まず、第一に、ステップ２１０において、サービスセンター１５０は消費レポートをユーザー装置１１０から受信することができる。ここで、ユーザー装置１１０は第１のベアラにより第１の伝送サービスを受信している。上述のように、ユーザー装置１１０によりサービスセンター１５０へ提供される消費レポートは、ユーザー装置１１０が受信している第１の伝送サービスのサービス情報を含むことができる。
【００２６】
異なる実施形態において、ユーザー装置１１０が、第１のベアラにより第１の伝送サービスを受信する方法は、第１の伝送サービスに依存して異なる。例えば、第１の伝送サービスがブロードキャストサービスである場合、ユーザー装置１１０は、例えば、ブロードキャストベアラにより実装される第１のベアラにより、第１の基地局１２０からMBMS-GW１４０により提供されるブロードキャストサービスを受信することができる。別の例として、第１の伝送サービスがユニキャストサービスである場合、ユーザー装置１１０は、例えば、ユニキャストベアラにより実装される第１のベアラにより、第１の基地局１２０からユニキャストサービスを受信することができる。
【００２７】
さらに、ユーザー装置１１０が第１の伝送サービス（ユニキャストサービス又はブロードキャストサービス）を受信する時間中、ユーザー装置１１０は、MBMSの関心の表示を対応するサービング基地局（すなわち、第１の基地局１２０）へ送信することもできる。LTEリリース１１により、MBMSの関心の表示は、ユーザー装置１１０がブロードキャストサービスを受信している（又は、受信することに関心を持っている）ことを示すために、用いることができ、そのコンテンツは、ユーザー装置１１０が受信している（又は、受信することに関心を持っている）サービスの伝送周波数を提供することを含むことができる。発明の一実施形態において、MBMSの関心の表示は、ユーザー装置１１０が第１の基地局１２０から別の基地局へ引き渡されるとき、ユーザー装置１１０は、それに限定されないが、引き渡し後に、ブロードキャストサービスを連続的に受信する（又は、受信することに関心を持っている）ことを意図していることを示すために、用いることができる。
【００２８】
さらに、第１の基地局１２０が、ユーザー装置１１０を他の基地局へ引き渡すかどうかを決定するための参考として、隣接する基地局の信号品質のための測定レポートを、ユーザー装置１１０は、第１の基地局１２０へ連続的に提供することができる。一実施形態において、ユーザー装置１１０が第１の基地局１２０の受信地域から第２の基地局の受信地域へ動くと仮定すると、第１の基地局１２０は、ユーザー装置１１０の測定レポートに基づいて、ユーザー装置１１０を第２の基地局へ引き渡す必要があることを決定することができる。
【００２９】
この場合、第１の基地局１２０は、ユーザー装置１１０を第２の基地局へ引き渡すハンドオーバ要求を、第２の基地局及びMME１８０へ伝送することができ、それに応じて、ハンドオーバ命令をユーザー装置１１０へ伝送することができる。次いで、ハンドオーバ命令に応答して、ユーザー装置１１０は、第２の基地局へ引き渡されるように、ハンドオーバ確認メッセージを第２の基地局へ伝送することができる。それに応じて、第２の基地局は、ユーザー装置１１０が第２の基地局へ引き渡された事実に関連するハンドオーバ通知書をMME１８０へ伝送することができる。
【００３０】
一実施形態において、ユーザー装置１１０が受信している第１の伝送サービス（例えば、ブロードキャストサービス又はユニキャストサービス）を、第１の基地局１２０及び第２の基地局のうちの１つの受信地域がサポートしないと仮定すると、ユーザー装置１１０が、後続のステップＳ２２０からＳ２４０により、第２の基地局へ既に引き渡された後に、本発明の方法は、伝送サービスの連続性を保持することができる。
【００３１】
具体的に言うと、MME１８０が第２の基地局からハンドオーバ通知書を受信した後に、MBMS-GW１４０により、特定の要求をサービスセンター１５０へ転送するように、MME１８０は、特定の要求をMBMS-GW１４０へ送信することができる。一実施形態において、特定の要求は、例えば、ユーザー装置１１０のユーザー同定情報を含むことができ、ユーザー装置１１０が既に第１の基地局１２０から第２の基地局へ既に引き渡されたことを示すことができる、ユーザー次元要求である。
【００３２】
したがって、ステップ２２０において、特定の要求を受信することに応答して、サービスセンター１５０は、特定の要求から、ユーザー装置１１０のユーザー同定情報を得ることができる。ここで、特定の要求は、ユーザー装置１１０が第１の基地局１２０から第２の基地局へ既に引き渡されたことを示し、第２の基地局の受信地域は、第２の伝送サービスをサポートするだけである。
【００３３】
次いで、ステップ２３０において、サービスセンター１５０は、ユーザー同定情報に基づいて、ユーザー装置１１０に対応する消費レポートにアクセスすることができ、消費レポートから第１の伝送サービスの第１のサービス情報を得る。すなわち、ユーザー装置１１０が第２の基地局へ既に引き渡されたことを知った後に、サービスセンター１５０は、ユーザー装置１１０により前にレポートされた第１の伝送サービスに関連する消費レポートをサーチして得ることができ、その中から、ユーザー装置１１０により受信した第１の伝送サービスの第１のサービス情報を見つける。第１のサービス情報は、例えば、第１の伝送サービスのサービス同定情報、消費タイプ（これは、第１の伝送サービスが、ユニキャストサービス又はブロードキャストサービスであることを示す）、ユーザー装置１１０のユーザー同定情報（これは、ユーザー次元要求のユーザー同定情報に一致する）、レポート時間及びレポート場所である。
【００３４】
次に、ステップ２４０において、サービスセンター１５０は、ユーザー装置１１０が、第２のベアラを用いるようにスイッチして、第１のサービス情報により第２の伝送サービスを受信するように、制御することができる。本発明の一実施形態において、第２のベアラは第１のベアラに相対的にすることができ、第２の伝送サービスは第１の伝送サービスに相対的にすることができる。
【００３５】
例えば、第１のサービス情報の消費タイプが、ユーザー装置１１０により受信した第１の伝送サービスがブロードキャストサービスである（すなわち、第１のベアラがブロードキャストベアラである）ことを示す場合、サービスセンター１５０は、ユーザー装置１１０が、ユニキャストベアラ（すなわち、第２のベアラ）を用いるようにスイッチして、第２の伝送サービスを受信するように、制御することができる。さらに、第１のサービス情報は、第１の伝送サービスのサービス同定情報も含むため、サービスセンター１５０は、したがって、第２の伝送サービスのコンテンツ（例えば、特定のライブビデオ）を第１の伝送サービスのコンテンツ（すなわち、上記の特定のライブビデオ）と同一にすることができる。このように、第２の基地局の伝送範囲（これは、ブロードキャストサービスをサポートしない）内のユーザー装置１１０は、連続的にコンテンツを受信することができる。
【００３６】
別の例として、第１のサービス情報の消費タイプが、ユーザー装置１１０により受信した第１の伝送サービスがユニキャストサービスである（すなわち、第１のベアラがユニキャストベアラである）ことを示す場合、サービスセンター１５０は、ユーザー装置１１０が、ブロードキャストベアラ（すなわち、第２のベアラ）を用いるようにスイッチして、第２の伝送サービスを受信するように、制御することができる。さらに、第１のサービス情報は、第１の伝送サービスのサービス同定情報も含むため、サービスセンター１５０は、したがって、第２の伝送サービスのコンテンツ（例えば、特定のスポーツビデオ）を第１の伝送サービスのコンテンツ（すなわち、上記の特定のスポーツビデオ）と同一にすることができる。このように、第２の基地局の伝送範囲（これは、ユニキャストサービスをサポートしない）内のユーザー装置１１０は、連続的にコンテンツを受信することができる。
【００３７】
一実施形態において、サービスセンター１５０は、ユーザー装置１１０が第２のベアラを用いて第２の伝送サービスを受信することを、要求するために、ベアラ更新要求を伝送することができる。
【００３８】
上のコンセプトをより容易に理解するために、第１の実施形態及び第２の実施形態をさらに図３を参照して以下に提供する。
【００３９】
図３Ａ及び図３Ｂを参照するに、図３Ａは、本発明の第１の実施形態により、ブロードキャストサービス範囲からユニキャストサービス範囲へ移動するユーザー装置を例示する模式図であり、図３Ｂは、図３Ａにより例示された信号伝送タイミング図である。
【００４０】
第１の実施形態において、ユーザー装置１１０は第１の基地局１２０によりサービスを受け、ユーザー装置１１０は、第１の基地局１２０からブロードキャストベアラ３１０（例えばMBMSベアラ）により、ブロードキャストサービス（すなわち第１の伝送サービス）を受信すると仮定する。本実施形態において、ブロードキャストサービスは、例えば、サービスセンター１５０により、MBMS-GW１４０によって第１の基地局１２０へ送信され、次いで、第１の基地局１２０により、ブロードキャストベアラ３１０によって提供されるが、本発明はそれらに限定されない。
【００４１】
上述のように、ユーザー装置１１０によるブロードキャストサービスを受信するプロセスにおいて、ユーザー装置１１０は、消費レポート４２０をサービスセンター１５０へ定期的に又は不定期にレポートすることができ、したがって、サービスセンター１５０は、ユーザー装置１１０により受信する第１の伝送サービスの消費タイプ（すなわち、ブロードキャストサービス）及びサービス同定情報（例えば、特定のライブビデオ）を知る。さらに、ユーザー装置１１０は、MBMSの関心の表示４３０を第１の基地局１２０へレポートすることもでき、したがって、第１の基地局１２０は、ユーザー装置１１０がブロードキャストサービスを受信していることを知る。
【００４２】
さらに、ユーザー装置１１０は、ユーザー装置１１０に、続いて実施されるハンドオーバ動作用の参照として、第１の基地局１２０に隣接する基地局の信号品質の測定レポート３４０をレポートすることができる。
【００４３】
第１の実施形態において、ユーザー装置１１０は、第２の基地局１２５へ引き渡されるべきであり、第２の基地局１２５の受信地域は、ユニキャストサービスをサポートするだけであるが、ブロードキャストサービスをサポートしないことを、測定レポート３４０は示すと仮定する。この場合において、ユーザー装置１１０が、第１の基地局１２０から第２の基地局１２５へ引き渡すためのハンドオーバ動作（詳細については、前述の実施形態の説明及び関連する明細書を参照）を完了した後に、MME１８０は、特定の要求３６０をMBMS-GW１４０によりサービスセンター１５０へ転送するように、特定の要求３６０（例えば、ユーザー装置１１０のユーザー同定情報を含むユーザー次元要求）をMBMS-GW１４０へ伝送することができる。
【００４４】
次いで、前述の実施形態の教示に基づいて、特定の要求３６０を受信後に、サービスセンター１５０は、特定の要求３６０から、ユーザー装置１１０のユーザー同定情報を得ることができる。
【００４５】
次に、サービスセンター１５０は、ユーザー同定情報に基づいて、ユーザー装置１１０に対応する消費レポート３２０にアクセスすることができ、消費レポート３２０から第１の伝送サービスの第１のサービス情報を得ることができる。すなわち、ユーザー装置１１０が、第２の基地局１２５へ、既に引き渡されたことを知った後に、サービスセンター１５０は、ユーザー装置１１０により、前にレポートされた第１の伝送サービスに関連する消費レポート３２０をサーチし、得ることができ、その中から、ユーザー装置１１０により受信した第１の伝送サービスの第１のサービス情報を見つけることができる。第１のサービス情報は、例えば、第１の伝送サービスのサービス同定情報、消費タイプ（これは、第１の伝送サービスが、ブロードキャストサービスであることを示す）、ユーザー装置１１０のユーザー同定情報（これは、ユーザー次元要求のユーザー同定情報に一致する）、レポート時間及びレポート場所である。
【００４６】
次に、サービスセンター１５０は、ユーザー装置１１０が、ユニキャストベアラ３８０を用いるようにスイッチして、第１のサービス情報により、第２の伝送サービス（すなわち、ユニキャストサービス）を受信するように制御することができる。もっと具体的には、サービスセンター１５０は、ユーザー装置１１０が、ユニキャストベアラ３８０を用いるようにスイッチして第２の伝送サービス（すなわち、ユニキャストサービス）を受信することを要求するために、ベアラ更新要求３７０をユーザー装置１１０へ伝送することができる。
【００４７】
第１の実施形態において、第１のサービス情報の消費タイプは、ユーザー装置１１０により受信する第１の伝送サービスがブロードキャストサービスであることを示すため、サービスセンター１５０は、ユーザー装置１１０が、ユニキャストベアラ３８０を用いるようにスイッチして、ユニキャストサービスを受信するように、制御することができる。さらに、第１のサービス情報は、第１の伝送サービスのサービス同定情報も含むため、サービスセンター１５０は、したがって、第２の伝送サービスのコンテンツ（例えば、特定のライブビデオ）を第１の伝送サービスのコンテンツ（すなわち、上記の特定のライブビデオ）と同一にすることができる。このように、第２の基地局１２５の伝送範囲（これは、ブロードキャストサービスをサポートしない）内のユーザー装置１１０は、連続的にコンテンツを受信することができる。
【００４８】
さらに、第１の実施形態において、ユニキャストサービスは、例えば、ユーザー次元ゲートウェイ１６５（これは、例えば、P-GW１７０及びS-GW１６０を含む）によって、サービスセンター１５０により第２の基地局１２５へ送信され、次いで、第２の基地局１２５により、ユニキャストベアラ３８０によって、ユーザー装置１１０へ提供される。
【００４９】
図４Ａ及び図４Ｂを参照するに、図４Ａは、本発明の第２の実施形態により、ユニキャストサービス範囲からブロードキャストサービス範囲へ移動するユーザー装置を例示する模式図であり、図４Ｂは、図４Ａにより例示された信号伝送タイミング図である。
【００５０】
第２の実施形態において、ユーザー装置１１０は最初に第１の基地局１２０によりサービスを受け、ユーザー装置１１０は、第１の基地局１２０からユニキャストベアラ４１０により、ユニキャストサービス（すなわち第１の伝送サービス）を受信すると仮定する。本実施形態において、ユニキャストサービスは、例えば、サービスセンター１５０により、ユーザー次元ゲートウェイ１６５（これは、例えば、P-GW１７０及びS-GW１６０を含む）によって第１の基地局１２０へ送信され、次いで、第１の基地局１２０により、ユニキャストベアラ４１０によって提供されるが、本発明はそれらに限定されない。
【００５１】
上述のように、ユーザー装置１１０によるユニキャストサービスを受信するプロセスにおいて、ユーザー装置１１０は、消費レポート４２０をサービスセンター１５０へ定期的に又は不定期にレポートすることができ、したがって、サービスセンター１５０は、ユーザー装置１１０により受信する第１の伝送サービスの消費タイプ（すなわち、ユニキャストサービス）及びサービス同定情報（例えば、特定のライブビデオ）を知る。さらに、ユーザー装置１１０は、MBMSの関心の表示４３０を第１の基地局１２０へレポートすることもでき、したがって、第１の基地局１２０は、ユーザー装置１１０がブロードキャストサービスを受信することに関心があることを知る。
【００５２】
さらに、ユーザー装置１１０は、ユーザー装置１１０に、続いて実施されるハンドオーバ動作用の参照として、第１の基地局１２０に隣接する基地局の信号品質の測定レポート４４０をレポートすることができる。
【００５３】
第２の実施形態において、ユーザー装置１１０は、第２の基地局１２５へ引き渡されるべきであり、第２の基地局１２５の受信地域は、ブロードキャストサービスをサポートすることを、測定レポート４４０は示すと仮定する。この場合において、ユーザー装置１１０が、第１の基地局１２０から第２の基地局１２５へ引き渡すためのハンドオーバ動作４５０（詳細については、前述の実施形態の説明及び関連する明細書を参照）を完了した後に、MME１８０は、特定の要求４６０をMBMS-GW１４０によりサービスセンター１５０へ転送するように、特定の要求４６０（例えば、ユーザー装置１１０のユーザー同定情報を含むユーザー次元要求）をMBMS-GW１４０へ伝送することができる。
【００５４】
次いで、前述の実施形態の教示に基づいて、特定の要求４６０を受信後に、サービスセンター１５０は、特定の要求４６０から、ユーザー装置１１０のユーザー同定情報を得ることができる。
【００５５】
次に、サービスセンター１５０は、ユーザー同定情報に基づいて、ユーザー装置１１０に対応する消費レポート４２０にアクセスすることができ、消費レポート４２０から第１の伝送サービスの第１のサービス情報を得ることができる。すなわち、ユーザー装置１１０が、第２の基地局１２５へ、既に引き渡されたことを知った後に、サービスセンター１５０は、ユーザー装置１１０により、前にレポートされた第１の伝送サービスに関連する消費レポート４２０をサーチし、得ることができ、その中から、ユーザー装置１１０により受信した第１の伝送サービスの第１のサービス情報を見つけることができる。第１のサービス情報は、例えば、第１の伝送サービスのサービス同定情報、消費タイプ（これは、第１の伝送サービスが、ユニキャストサービスであることを示す）、ユーザー装置１１０のユーザー同定情報（これは、ユーザー次元要求のユーザー同定情報に一致する）、レポート時間及びレポート場所である。
【００５６】
次に、サービスセンター１５０は、ユーザー装置１１０が、ブロードキャストベアラ４８０を用いるようにスイッチして、第１のサービス情報により、第２の伝送サービス（すなわち、ブロードキャストサービス）を受信するように制御することができる。もっと具体的には、サービスセンター１５０は、ユーザー装置１１０が、ブロードキャストベアラ４８０を用いるようにスイッチして第２の伝送サービス（すなわち、ブロードキャストサービス）を受信することを要求するために、ベアラ更新要求４７０をユーザー装置１１０へ伝送することができる。
【００５７】
第２の実施形態において、消費タイプ（第１のサービス情報）は、ユーザー装置１１０により受信する第１の伝送サービスがユニキャストサービスであることを示すため、サービスセンター１５０は、ユーザー装置１１０が、ブロードキャストベアラ４８０を用いるようにスイッチして、ブロードキャストサービスを受信するように、制御することができる。さらに、第１のサービス情報は、第１の伝送サービスのサービス同定情報も含むため、サービスセンター１５０は、したがって、第２の伝送サービスのコンテンツ（例えば、特定のライブビデオ）を第１の伝送サービスのコンテンツ（すなわち、上記の特定のライブビデオ）と同一にすることができる。このように、第２の基地局１２５の伝送範囲（これは、ユニキャストサービスをサポートしない）内のユーザー装置１１０は、連続的にコンテンツを受信することができる。
【００５８】
さらに、サービスセンター１５０は、ユーザー装置１１０が、ブロードキャストベアラ４８０を用いるようにスイッチして、ブロードキャストサービスを受信するように、制御した後に、ユーザー装置１１０は、第１の基地局１２０から第２の基地局１２５へ既に引き渡されているため、サービスセンター１５０は、さらに、第１の基地局１２０及び第２の基地局１２５により、ユニキャストサービスを提供することを中止するように、ユーザー次元ゲートウェイ１６５を制御することができる。
【００５９】
図５を参照するに、図５は、本発明の一実施形態によるサービスセンターを例示する機能ブロック図である。図５に示すように、本発明の本実施形態のサービスセンター１５０は、コンテンツ記憶装置５１１、送受信機５１２、ユーザーデータベース６１３、及び、プロセッサ５１４を含むことができる。プロセッサ５１４は、特定のプログラムコード及びモジュールをロードし、コンテンツ記憶装置５１１、送受信機５１２及びユーザーデータベース５１３と協働することにより、伝送サービスの連続性を保持する方法を実施することができる。
【００６０】
異なる実施形態において、コンテンツ記憶装置５１１は、図１のコンテンツプロバイダー１９０から伝送サービスコンテンツを記憶するために、用いることができる。送受信機５１２は、例えば、グローバル・システム・フォー・モバイル・コミュニケーションズ（GSM）、簡易型携帯電話（PHS）、符号分割多元接続（CDMA）システム、無線LAN（Wi-Fi）システム、ワイマックス（WiMAX）、又は、ロング・ターム・エボリューション（LTE）を含む伝送プロトコルをサポートするプロトコル装置のコンポーネントである。ユーザーデータベース６１３は、消費レポート及びユーザー同定情報を記憶するために、用いられるが、それに限定されない。
【００６１】
要約すれば、ユーザー装置が、ブロードキャストサービスの伝送範囲から、ユニキャストサービスをサポートするだけの伝送範囲へ動くときに、本発明により提供される方法及びサービスセンターは、伝送サービスを受信するためにユーザー装置により用いられるベアラを、ブロードキャストベアラからユニキャストベアラへ、対応して調整することができ、したがって、ユーザー装置は、ハンドオーバ後に、伝送サービスを連続的に受信することができる。さらに、ユーザー装置が、ユニキャストサービスの伝送範囲から、ブロードキャストサービスをサポートする伝送範囲へ動くときに、本発明は、伝送サービスを受信するためにユーザー装置により用いられるベアラを、ユニキャストベアラからブロードキャストベアラへ、対応して調整することもでき、したがって、ユーザー装置は、ハンドオーバ後に、伝送サービスを連続的に受信することができる。
【００６２】
さらに、ベアラを調整する機構は、コアネットワーク端（例えばサービスセンター）により管理され、ユーザー装置により起動されないため、この機構は、何らかの特別に設計されたユーザー装置を必要とはせずに、汎用ユーザー装置によりにより、通常、用いることができる。
【００６３】
開示した実施形態に対し様々な変更及び変形をすることができることは、当業者には明かであろう。明細書及び実施例は例示的としてのみ考慮され、本発明の真の範囲は、以下の特許請求の範囲及びそれらの均等物により示されることを意図している。
【産業上の利用可能性】
【００６４】
本発明の伝送サービスの連続性を保持する方法及びサービスセンターは、通信装置に利用可能にすることができる。
【符号の説明】
【００６５】
１００    システム
１１０    ユーザー装置
１２０    第１の基地局
１２５    第２の基地局
１３０    マルチセル／マルチキャスト・コーオーディネーション・エンティティ（MCE）
１４０    マルチメディア・ブロードキャスト／マルチキャストサービス・ゲートウェイ（MBMS-GW）
１５０    サービスセンター
１６０    サービングゲートウェイ（S-GW）
１６５    ユーザー次元ゲートウェイ
１７０    パケットデータネットワーク・ゲートウェイ（P-GW）
１８０    移動性管理エンティティ（MME）
１９０    サービスプロバイダー
３１０、４８０    ブロードキャストベアラ
３２０、４２０    消費レポート
３３０、４３０    MBMSの関心の表示
３４０、４４０    測定レポート
３５０、４５０    ハンドオーバ要求
３６０、４６０    特別の要求
３７０、４７０    ベアラ更新要求
３８０、４１０    ユニキャストベアラ
Ｓ２１０からＳ２４０    ステップ
【図１】
0006894017.tif 000002
【図２】
0006894017.tif 000003
【図３Ａ】
0006894017.tif 000004
【図３Ｂ】
0006894017.tif 000005
【図４Ａ】
0006894017.tif 000006
【図４Ｂ】
0006894017.tif 000007
【図５】
0006894017.tif 000008